(57)【特許請求の範囲】
【請求項１】
複数の画素からなる撮像面を具えた固体撮像素子と、該固体撮像素子を駆動する駆動装置と、該駆動装置の動作を制御する制御装置とを具えた撮影装置であって、前記制御装置は、前記固体撮像素子への入射光の大きさに応じた露光時間を導出する露光時間導出回路を具えており、前記駆動装置から前記固体撮像素子に一連のサブパルスを供給して画素に蓄積された電荷を外部に掃き捨てた後に前記露光時間導出回路から得られる露光時間だけ撮像面の露光を行なう動作が周期的に繰り返される撮影装置において、前記制御装置は、前記露光時間導出回路から得られる露光時間に応じて、前記固体撮像素子へ供給すべきサブパルスの周期を変化させる制御回路を具え、該制御回路は、
サブパルスの規定周期が規定されている規定手段と、
前記露光時間導出回路によって導出された露光時間がサブパルスの規定周期を上回るか否かを判断する判断手段と、
前記導出された露光時間がサブパルスの規定周期を上回ると前記判断手段が判断した場合に、前記固体撮像素子へ供給すべきサブパルスの周期を、該規定周期よりも長く、且つ前記導出された露光時間以下の周期に変更する制御手段
とを具えていることを特徴とする撮影装置。
【請求項２】
前記制御手段は、前記導出された露光時間がサブパルスの規定周期を上回る場合に、該露光時間に基づき規定周期の複数のサブパルスから間引くべきサブパルスの本数を導出して、導出した間引き本数を前記駆動装置に供給し、該駆動装置は、規定周期の複数のサブパルスから前記制御手段から供給された間引き本数のサブパルスを間引いて得られる一連のサブパルスを固体撮像素子に供給する請求項１に記載の撮影装置。
【請求項３】
前記制御装置の露光時間導出回路は、固体撮像素子の出力信号の信号レベルを検出し、該検出結果から露光時間を導出する請求項１又は請求項２に記載の撮影装置。
【発明の詳細な説明】
【技術分野】
【０００１】
本発明は、ＣＣＤ等から構成される固体撮像素子を具えたデジタルスチルカメラ等の撮影装置に関するものである。
【背景技術】
【０００２】
近年、ＣＣＤ等から構成される固体撮像素子を具えたデジタルスチルカメラが普及している。
図２は、デジタルスチルカメラに用いられるインターライン転送方式の固体撮像素子(１)の構成を表わしている。該固体撮像素子(１)においては、マトリクス状に配列された複数のフォトセンサ上に色フィルターアレイを設けて複数の画素(11)からなる撮像面を形成すると共に、垂直方向に配列された複数列の画素(11)の電荷を垂直方向に転送する複数の垂直レジスタ(12)と、これらの垂直レジスタ(12)によって転送された電荷を１水平期間の周期で出力する水平レジスタ(13)とが設けられている。
【０００３】
上記固体撮像素子(１)には、第１の位相を有する第１垂直転送パルスＶφ１の入力端子８、第２の位相を有する第２垂直転送パルスＶφ２の入力端子７、第３の位相を有する一対の第３垂直転送パルスＶφ３Ａ及びＶφ３Ｂの入力端子６、５、第４の位相を有する第４垂直転送パルスＶφ４の入力端子４、第５の位相を有する一対の第５垂直転送パルスＶφ５Ａ及びＶφ５Ｂの入力端子３、２、及び第６の位相を有する第６垂直転送パルスＶφ６の入力端子１が設けられている。これらの入力端子に各垂直転送パルスが供給されることによって、垂直レジスタ(12)に蓄積された電荷が水平レジスタ(13)に転送される。
又、上記固体撮像素子(１)には、一対の第１水平転送パルスＨφ１Ａ及びＨφ１Ｂの入力端子21、16と、第１水平転送パルスをそれぞれ反転してなる一対の第２水平転送パルスＨφ２Ａ及びＨφ２Ｂの入力端子22、17とが設けられている。これらの入力端子に各水平転送パルスが供給されることによって、垂直レジスタ(12)から水平レジスタ(13)に転送された電荷が外部に出力される。
更に、上記固体撮像素子(１)には、撮像面の露光前に画素に蓄積された電荷を外部へ掃き捨てる電子シャッタ動作を実行させるためのサブパルスφSUBの入力端子19が設けられている。
尚、上記の垂直転送パルス、水平転送パルス及びサブパルスは矩形パルスである。
【０００４】
上記デジタルスチルカメラにおいては、固体撮像素子(１)によって撮影した動画(スルー画)を１／３０秒の周期でＬＣＤに表示するモニタモードの設定が可能であって、図７は、該モニタモードにおける動作及び固体撮像素子(１)に供給されるサブパルスφSUBを表わしている。尚、図７中、ＶＤは垂直同期パルスである。
上記デジタルスチルカメラにおいては、１垂直期間の内、露光時間を除く期間にサブパルスφSUBを固体撮像素子(１)に供給することによって露光時間が制御されており、モニタモードが設定されると、第１の垂直期間(＃Ｖ１)に、一連のサブパルスφSUBが固体撮像素子(１)に供給されて画素(11)に蓄積された電荷が掃き捨てられた後、所定時間だけ撮像面の露光が行なわれる。次に第２の垂直期間(＃Ｖ２)に、第１垂直期間内に行なわれた露光によって画素(11)に蓄積された電荷の転送が行なわれると共に、これによって得られる画像信号に基づいて露光時間が算出される。又、一連のサブパルスφSUBが固体撮像素子(１)に供給されて画素に蓄積された電荷が掃き捨てられた後、所定時間だけ撮像面の露光が行なわれる。
【０００５】
続いて第３の垂直期間(＃Ｖ３)に、第１垂直期間内に行なわれた露光によって得られた画像がＬＣＤに表示される。又、第２垂直期間内に行なわれた露光によって画素(11)に蓄積された電荷の転送が行なわれると共に、これによって得られる画像信号に基づいて露光時間が算出される。更に、一連のサブパルスφSUBが固体撮像素子(１)に供給されて画素(11)に蓄積された電荷が掃き捨てられた後、第２垂直期間内に算出された露光時間だけ撮像面の露光が行なわれる。
次に第４の垂直期間(＃Ｖ４)に、第２垂直期間内に行なわれた露光によって得られた画像がＬＣＤに表示される。又、第３垂直期間内に行なわれた露光によって画素(11)に蓄積された電荷の転送が行なわれると共に、これによって得られる画像信号に基づいて露光時間が算出される。更に、一連のサブパルスφSUBが固体撮像素子(１)に供給されて画素(11)に蓄積された電荷が掃き捨てられた後、第３垂直期間内に算出された露光時間だけ撮像面の露光が行なわれる。以下同様にして、１垂直期間に、撮像面の露光、電荷の転送、露光時間の算出及びＬＣＤへの表示が並列的に行なわれる。
上述の如く、モニタモードにおいては、１垂直期間の周期で、一連のサブパルスを固体撮像素子(１)に供給して画素に蓄積された電荷を外部に掃き捨てた後に撮像面の露光を行なう動作が繰り返され、これによって得られる画像が順次、ＬＣＤに表示される。
【０００６】
尚、ＣＣＤからの１垂直走査期間の情報に基づいてシャッタースピードの調節を行なうビデオカメラの電子アイリス制御回路が提案されている(特許文献１参照)。
【特許文献１】特開平４−３２３８０号公報[H04N 5/335]
【発明の開示】
【発明が解決しようとする課題】
【０００７】
しかしながら、上記従来のデジタルスチルカメラにおいては、上記モニタモードにおいて、図８に示す如く１水平期間(１Ｈ)の短い周期でサブパルスφSUBが固体撮像素子(１)に供給されるため、消費電力が大きい問題があった。
本発明の目的は、従来よりも消費電力を節減することが出来るデジタルスチルカメラ等の撮影装置を提供することである。
【課題を解決するための手段】
【０００８】
そこで本発明者は、上記課題を解決すべく鋭意研究を行なった結果、サブパルスの周期が算出された露光時間以下であれば画素から電荷が溢れ出すことがないことに着目し、本発明の完成に至った。
【０００９】
本発明に係る撮影装置は、複数の画素からなる撮像面を具えた固体撮像素子と、該固体撮像素子を駆動する駆動装置と、該駆動装置の動作を制御する制御装置とを具え、前記制御装置は、前記固体撮像素子への入射光の大きさに応じた露光時間を導出する露光時間導出回路を具えており、前記駆動装置から前記固体撮像素子に一連のサブパルスを供給して画素に蓄積された電荷を外部に掃き捨てた後に前記露光時間導出回路から得られる露光時間だけ撮像面の露光を行なう動作が周期的に繰り返される。そして、前記制御装置は、前記露光時間導出回路から得られる露光時間に応じて、１周期における一連のサブパルスの少なくとも一部のパルス間隔を変化させる制御回路を具えている。
【００１０】
具体的には、前記制御装置の制御回路は、
サブパルスの周期が規定されている規定手段と、
前記露光時間導出回路によって導出された露光時間が前記規定手段に規定されている周期を上回るか否かを判断する判断手段と、
前記導出された露光時間がサブパルスの規定周期を上回る場合に、１周期における一連のサブパルスの内、少なくとも１つのサブパルスの周期を、該規定周期よりも長く、且つ前記導出された露光時間以下の周期に変更する制御手段
とを具えている。
【００１１】
上記本発明に係る撮影装置においては、導出された露光時間がサブパルスの規定周期、例えば１水平期間を上回る場合に、１周期における一連のサブパルスの内、少なくとも１つのサブパルスの周期が、該規定周期よりも長く、且つ前記導出された露光時間以下の周期に変更される。この様に、露光時間が規定周期を上回る場合には、少なくとも１つのサブパルスの周期が該規定周期よりも長い周期に変更されるので、露光時間が規定周期を上回る場合であっても常に規定周期でサブパルスが供給される従来のデジタルスチルカメラに比べてサブパルスの出力回数が減少し、この結果、消費電力が低減する。又、変更後の周期は、導出された露光時間以下の周期であるので、画素から電荷が溢れ出すことはない。
【００１２】
又、具体的には、前記制御手段は、前記導出された露光時間がサブパルスの規定周期を上回る場合に、該露光時間に基づき規定周期の複数のサブパルスから間引くべきサブパルスの本数を導出して、導出した間引き本数を前記駆動装置に供給し、該駆動装置は、規定周期の複数のサブパルスから前記制御手段から供給された間引き本数のサブパルスを間引いて得られる一連のサブパルスを固体撮像素子に供給する。
【００１３】
上記具体的構成においては、規定周期の複数のサブパルスから露光時間に応じた本数だけサブパルスを間引くことによって、サブパルスの周期が変更される。
【発明の効果】
【００１４】
本発明に係る撮影装置によれば、上述の如くサブパルスの出力回数を減少させることによって、消費電力を節減することが出来る。
【発明を実施するための最良の形態】
【００１５】
以下、本発明をＣＣＤからなる固体撮像素子を具えたデジタルスチルカメラに実施した形態につき、図面に沿って具体的に説明する。尚、下記の「サブパルス」及び「サブタイミングパルス」の別称として「電子シャッターパルス」が用いられることもある。
本発明に係るデジタルスチルカメラは、図２に示す固体撮像素子(１)を具えており、該固体撮像素子(１)には、第１の位相を有する第１垂直転送パルスＶφ１の入力端子８、第２の位相を有する第２垂直転送パルスＶφ２の入力端子７、第３の位相を有する一対の第３垂直転送パルスＶφ３Ａ及びＶφ３Ｂの入力端子６、５、第４の位相を有する第４垂直転送パルスＶφ４の入力端子４、第５の位相を有する一対の第５垂直転送パルスＶφ５Ａ及びＶφ５Ｂの入力端子３、２、及び第６の位相を有する第６垂直転送パルスＶφ６の入力端子１が設けられている。これらの入力端子に各垂直転送パルスが供給されることによって、垂直レジスタ(12)に蓄積された電荷が水平レジスタ(13)に転送される。
又、該固体撮像素子(１)には、一対の第１水平転送パルスＨφ１Ａ及びＨφ１Ｂの入力端子21、16と、第１水平転送パルスを反転してなる一対の第２水平転送パルスＨφ２Ａ及びＨφ２Ｂの入力端子22、17とが設けられている。これらの入力端子に各水平転送パルスが供給されることによって、垂直レジスタ(12)から水平レジスタ(13)に転送された電荷が外部に出力される。
更に、該固体撮像素子(１)には、撮像面の露光前に画素に蓄積された電荷を外部へ掃き捨てる電子シャッタ動作を実行させるためのサブパルスφSUBの入力端子19が設けられている。
【００１６】
図１は、本発明に係るデジタルスチルカメラの構成を表わしている。上記固体撮像素子(１)には、垂直転送駆動回路(２)及び水平転送駆動回路(３)が接続されており、垂直転送駆動回路(２)から上記の第１垂直転送パルスＶφ１、第２垂直転送パルスＶφ２、一対の第３垂直転送パルスＶφ３Ａ、Ｖφ３Ｂ、第４垂直転送パルスＶφ４、一対の第５垂直転送パルスＶφ５Ａ、Ｖφ５Ｂ、第６垂直転送パルスＶφ６及びサブパルスφSUBが供給されると共に、水平転送駆動回路(３)から一対の第１水平転送パルスＨφ１Ａ、Ｈφ１Ｂ、及び第２水平転送パルスＨφ２Ａ、Ｈφ２Ｂが供給される。
垂直転送駆動回路(２)及び水平転送駆動回路(３)には、タイミングジェネレータ(ＴＧ)(４)が接続されており、タイミングジェネレータ(４)から垂直転送駆動回路(２)へ、第１垂直タイミングパルス、第２垂直タイミングパルス、一対の第３垂直タイミングパルス、第４垂直タイミングパルス、一対の第５垂直タイミングパルス、第６垂直タイミングパルス、サブタイミングパルス及び電荷読出しパルスが供給される。又、タイミングジェネレータ(４)から水平転送駆動回路(３)へ、一対の水平タイミングパルス及び一対の第２水平タイミングパルスが供給される。
【００１７】
タイミングジェネレータ(４)では、カウンタ(図示省略)を用いて第１垂直タイミングパルス、第２垂直タイミングパルス、一対の第３垂直タイミングパルス、第４垂直タイミングパルス、一対の第５垂直タイミングパルス、サブタイミングパルス及び電荷読出しパルスが作成され、これらのパルスが垂直転送駆動回路(２)に供給される。又、駆動クロックを用いて一対の第１水平タイミングパルス及び一対の第２水平タイミングパルスが作成され、これらのパルスが水平転送駆動回路(３)に供給される。
【００１８】
垂直転送駆動回路(２)では、タイミングジェネレータ(４)から得られる電荷読出しパルス及び第１〜第６垂直タイミングパルスから第１〜第６垂直転送パルスＶφ１、Ｖφ２、Ｖφ３Ａ、Ｖφ３Ｂ、Ｖφ４、Ｖφ５Ａ、Ｖφ５Ｂ及びＶφ６が作成されると共にサブタイミングパルスを増幅することによってサブパルスφSUBが作成され、作成されたパルスが固体撮像素子(１)に供給される。一方、水平転送駆動回路(３)では、タイミングジェネレータ(４)から得られる一対の第１水平タイミングパルス及び一対の第２水平タイミングパルスを増幅することによって一対の第１水平転送パルスＨφ１Ａ、Ｈφ１Ｂ及び一対の第２水平転送パルスＨφ２Ａ、Ｈφ２Ｂが作成され、これらのパルスが固体撮像素子(１)に供給される。
【００１９】
又、固体撮像素子(１)から得られるＣＣＤ出力は、サンプリング部ＣＤＳ及びゲイン制御部ＡＧＣからなるＣＤＳ／ＡＧＣ回路(５)、Ａ／Ｄコンバータ(６)、及び圧縮処理等の所定の画像処理を行なう画像処理回路(７)を経て、後段回路へ出力される。ＣＤＳ／ＡＧＣ回路(５)には、タイミングジェネレータ(４)から、ＣＣＤ出力をサンプリングするためのサンプリング信号ＳＨＰ、ＳＨＤが供給され、Ａ／Ｄコンバータ(６)には、タイミングジェネレータ(４)から、Ａ／Ｄ変換のためのサンプリング信号ＡＤＣＫが供給される。
【００２０】
タイミングジェネレータ(４)及び画像処理回路(７)には、制御回路(８)が接続されており、制御回路(８)には、シャッターボタン(９)が接続されている。
制御回路(８)は、画像処理回路(７)から固体撮像素子(１)の有効領域の画像信号(輝度信号)を取得して該画像信号の信号レベルを検出し、検出した信号レベルを、最適な露光となる信号レベルを示す基準値と比較する。そして、信号レベルと該基準値との比較結果に基づいて露光時間を算出した後、その算出結果に応じてタイミングジェネレータ(４)の動作を制御する。
【００２１】
上記デジタルスチルカメラは、従来のデジタルスチルカメラと同様に、モニタモードの設定が可能であって、モニタモードにおいては、図７に示す如く、１垂直期間の周期で、一連のサブパルスを固体撮像素子(１)に供給して画素に蓄積された電荷を外部に掃き捨てた後に撮像面の露光を行なう動作が繰り返され、これによって得られる画像が順次、ＬＣＤに表示される。各垂直期間では、撮像面の露光、画素の転送、露光時間の算出及びＬＣＤへの表示が並列的に行なわれる。
【００２２】
本発明に係るデジタルスチルカメラのモニタモードにおいては、算出された露光時間が１水平期間(１Ｈ)である場合には、次の垂直期間において１水平期間の規定周期でサブパルスが固体撮像素子(１)に供給されるのに対して、算出された露光時間が１水平期間を上回る場合には、次の垂直期間において、１水平期間よりも長い露光時間と同じ周期でサブパルスが固体撮像素子(１)に供給される。
図１に示す制御回路(８)は、上述の如く算出した露光時間が内蔵メモリ(図示省略)に格納されているサブパルスの規定周期、即ち１水平期間であるか否かを判断し、該露光時間が１水平期間である場合には、該露光時間に応じて、サブタイミングパルスの出力開始時点での上記カウンタのカウント値、出力終了時点でのカウント値、及びサブタイミングパルスの出力回数を、タイミングジェネレータ(４)を構成するレジスタ(図示省略)に設定する。
これに対し、算出した露光時間が１水平期間を上回る場合には、該露光時間に応じて、サブタイミングパルスの出力開始時点での上記カウンタのカウント値、出力終了時点でのカウント値、及びサブタイミングパルスの出力回数を、タイミングジェネレータ(４)の前記レジスタに設定すると共に、前記露光時間に基づいて規定周期の複数のサブパルスから連続して間引くべきサブパルスの本数を算出し、該算出結果を前記レジスタに設定する。
【００２３】
図４は、上記制御回路(８)によって算出された露光時間が１水平期間である場合のタイミングジェネレータ(４)の動作を表わしている。尚、図４中、ＶＤは垂直同期パルス、ＨＤは水平同期パルスである。
タイミングジェネレータ(４)は、上述の如くレジスタに設定された２つのカウント値に基づきイネーブル信号を作成して、該イネーブル信号がハイの期間にサブタイミングパルスを垂直転送駆動回路(２)へ出力し、最後のサブタイミングパルスを出力してから算出された露光時間(＝１Ｈ)が経過した時点で、電荷読み出しパルスを垂直転送駆動回路(２)へ出力する。この様にして、タイミングジェネレータ(４)から垂直転送駆動回路(２)へ、１垂直期間の内、前記算出された露光時間を除く期間に、サブタイミングパルスが１水平期間の周期で供給されることになる。尚、算出された露光時間が１水平期間である上記場合のサブタイミングパルスの出力動作は、従来と同一である。
これに応じて、垂直転送駆動回路(２)は、前記サブタイミングパルスを増幅してサブパルスφSUBを作成し、固体撮像素子(１)へ供給する。この様にして、図８に示す如く、１垂直期間の内、算出された露光時間を除く期間に、１水平期間の周期でサブパルスが固体撮像素子(１)に供給されることになる。
【００２４】
これに対し、図５は、上記制御回路(８)によって算出された露光時間が１水平期間を上回る場合のタイミングジェネレータ(４)の動作を表わしている。尚、図５中、ＶＤは垂直同期パルス、ＨＤは水平同期パルスである。
タイミングジェネレータ(４)は、上述の如くレジスタに設定された２つのカウント値、及び間引き本数に基づきイネーブル信号を作成して、該イネーブル信号がハイの期間にサブタイミングパルスを垂直転送駆動回路(２)に出力し、最後のサブタイミングパルスを出力してから算出された露光時間が経過した時点で、電荷読み出しパルスを垂直転送駆動回路(２)へ出力する。この様にして、タイミングジェネレータ(４)から垂直転送駆動回路(２)へ、１垂直期間の内、前記算出された露光時間を除く期間に、該露光時間と同じ周期でサブタイミングパルスが供給されることになる。例えば、算出された露光時間が２水平期間である場合には、２水平期間の周期でサブタイミングパルスが垂直転送駆動回路(２)に供給される。
これに応じて、垂直転送駆動回路(２)は、前記サブタイミングパルスを増幅してサブパルスφSUBを作成し、固体撮像素子(１)へ供給する。この様にして、図３に示す如く、１垂直期間の内、算出された露光時間を除く期間に、１水平期間よりも長い露光時間と同じ周期で、サブパルスが固体撮像素子(１)に供給されることになる。ここで、サブパルスの周期は露光時間と同じ周期に設定されるので、画素から電荷が溢れ出すことはない。
【００２５】
図６は、上記デジタルスチルカメラのモニタモードにおける一連の動作を表わしている。
先ずステップＳ１では、タイミングジェネレータ(４)は、１垂直期間の内、後述の如く算出される露光時間を除く期間にサブタイミングパルスを垂直転送駆動回路(２)に出力し、これに応じて、垂直転送駆動回路(２)は、サブパルスを固体撮像素子(１)に供給する。これによって、撮像面の露光が行なわれる。
次にステップＳ２では、タイミングジェネレータ(４)は、垂直タイミングパルス及び水平タイミングパルスをそれぞれ垂直転送駆動回路(２)及び水平転送駆動回路(３)に出力し、これに応じて、垂直転送駆動回路(２)は、垂直転送パルスを固体撮像素子(１)に供給すると共に、水平転送駆動回路(３)は、水平転送パルスを固体撮像素子(１)に供給する。これによって、露光によって画素に蓄積された電荷が垂直レジスタ(12)を経て水平レジスタ(13)に転送され、外部に出力される。
【００２６】
続いてステップＳ３では、画像処理回路(７)は、固体撮像素子(１)からＣＤＳ／ＡＧＣ回路(５)及びＡ／Ｄコンバータ(６)を経て得られる信号に所定の画像処理を施した後、ステップＳ４にて、制御回路(８)は、前記画像処理回路(７)から画像信号を取得して、該画像信号の信号レベルを前記基準値と比較し、その比較結果に基づいて露光時間を算出する。
【００２７】
次にステップＳ５では、制御回路(８)は、算出した露光時間が１水平期間であるか否かによってサブパルスを間引く必要があるか否かを判断する。ここで、算出された露光時間が１水平期間である場合には、ノーと判断されてステップＳ８に移行し、算出した露光時間に応じて、サブタイミングパルスの出力開始時点でのカウント値、出力終了時点でのカウント値、及びサブタイミングパルスの出力回数を含む露光情報をタイミングジェネレータ(４)に設定した後、ステップＳ１に戻る。この場合、ステップＳ１では、垂直転送駆動回路(２)から固体撮像素子(１)へ、１水平期間の周期でサブパルスが出力されることになる。
【００２８】
これに対し、算出した露光時間が１水平期間を上回る場合には、ステップＳ５にてイエスと判断されてステップＳ６に移行し、該露光時間に基づいてサブパルスを間引く本数を算出する。ここで、サブパルスの間引き本数としては、１水平期間の周期の複数のサブパルスから一部のサブパルスを間引くことによってサブパルスの周期が前記露光時間と同じ周期となる値が算出される。続いてステップＳ７では、制御回路(８)は、算出した間引き本数をタイミングジェネレータ(４)に設定し、次にステップＳ８では、算出した露光時間に応じて、サブタイミングパルスの出力開始時点でのカウント値、出力終了時点でのカウント値、及びサブタイミングパルスの出力回数を含む露光情報をタイミングジェネレータ(４)に設定した後、ステップＳ１に戻る。この場合、ステップＳ１では、垂直転送駆動回路(２)から固体撮像素子(１)へ、１水平期間のよりも長い露光時間と同じ周期でサブパルスが出力されることになる。
【００２９】
本発明に係るデジタルスチルカメラにおいては、上述の如く、モニタモードにおいて算出された露光時間が１水平期間を上回る場合には、垂直転送駆動回路(２)から固体撮像素子(１)へ、１水平期間よりも長い周期でサブパルスが出力されるので、露光時間が１水平期間を上回る場合であっても常に１水平期間の周期でサブパルスが出力されていた従来のデジタルスチルカメラに比べてサブパルスの出力回数が減少し、この結果、消費電力が低減する。
【００３０】
尚、本発明の各部構成は上記実施の形態に限らず、特許請求の範囲に記載の技術的範囲内で種々の変形が可能である。
例えば、１周期における一連のサブパルスの内、一部のサブパルスの周期を１水平期間よりも長い周期に変更することも可能である。
又、上記実施の形態においては、算出された露光時間が１水平期間を上回る場合にサブパルスの周期を露光時間と同じ周期に変更しているが、露光時間と同じ周期に限らず、１水平期間より長く、且つ露光時間以下の任意の周期に変更することが可能である。
更に、露光時間の算出方法としては、画像信号の信号レベルに基づいて算出する上記の方法に限らず、その他の周知の方法を採用することが可能である。
更に又、上記実施の形態においては、本発明を、図２に示す６相駆動方式の固体撮像素子(１)を具えたデジタルスチルカメラに実施しているが、３相駆動方式の固体撮像素子や４相駆動方式の固体撮像素子を具えたデジタルスチルカメラに実施することも可能である。
【図面の簡単な説明】
【００３１】
【図１】本発明を実施したデジタルスチルカメラの構成を表わすブロック図である。
【図２】固体撮像素子の構成を表わすブロック図である。
【図３】露光時間が１水平期間を上回る場合の垂直転送駆動回路の動作を表わすタイムチャートである。
【図４】露光時間が１水平期間である場合のタイミングジェネレータの動作を表わすタイムチャートである。
【図５】露光時間が１水平期間を上回る場合のタイミングジェネレータの動作を表わすタイムチャートである。
【図６】モニタモードの動作を表わすフローチャートである。
【図７】上記動作を表わすタイムチャートである。
【図８】露光時間が１水平期間である場合の垂直転送駆動回路の動作を表わすタイミングチャートである。
【符号の説明】
【００３２】
(１)  固体撮像素子
(11)  画素
(12)  垂直レジスタ
(13)  水平レジスタ
(２)  垂直転送駆動回路
(３)  水平転送駆動回路
(４)  タイミングジェネレータ
(５)  ＣＤＳ／ＡＧＣ回路
(６)  Ａ／Ｄコンバータ
(７)  画像処理回路
(８)  制御回路
(９)  シャッターボタン
【図１】
0004730530.tif 000002
【図２】
0004730530.tif 000003
【図３】
0004730530.tif 000004
【図４】
0004730530.tif 000005
【図５】
0004730530.tif 000006
【図６】
0004730530.tif 000007
【図７】
0004730530.tif 000008
【図８】
0004730530.tif 000009